(57)【要約】      （修正有）【課題】バッテリーをベルトに掛けて刈払い作業が出来て、コンパクト且つシンプルな構造であり、寿命が尽きると丸ごと交換出来るバッテリーを接続した園芸用バリカン装置を提供する。【解決手段】園芸用バリカン装置２とバッテリー７０とを、電気コード６０で着脱自在に接続した。バッテリー７０は、小箱型形状のケース部７１内にバッテリーパックを密閉状態で収納し、寿命が尽きるとケース部７１ごと交換できるようにし、ケース部７１にズボンのベルトに掛ける掛け部７５を設けた。【選択図】図１
0003207870.tif 000002
【実用新案登録請求の範囲】
【請求項１】
園芸用バリカン装置の手持ち部の後端部に電気コードの一端部が取り付けられ、該電気コードの他端部がコネクタを介してバッテリーに着脱自在に電気接続されており、
前記バッテリーは、小箱型形状を有するケース部に、前記コネクタを介して前記電気コードの他端部に電気接続する出力側端子と、充電器側の電気コードの出力側端子に電気接続可能な入力側端子とが設けられ、
該ケース部内に、バッテリーパックの寿命が尽きたときには該ケース部ごと新品交換し得るように、バッテリーパックを密閉状態で収納した充電タイプであり、前記ケース部に刈払い作業者のズボンのベルトに掛ける掛け部が設けられていることを特徴とするバッテリーを接続した園芸用バリカン装置。
【請求項２】
園芸用バリカン装置の手持ち部の後端部とバッテリーとが、両端部にコネクタが取り付けられた電気コードを介して、着脱自在に電気接続されており、
前記バッテリーは、小箱型形状を有するケース部に、前記コネクタを介して前記電気コードの他端部に電気接続する出力側端子と、充電器側の電気コードの出力側端子に電気接続可能な入力側端子とが設けられ、
該ケース部内に、バッテリーパックの寿命が尽きたときには該ケース部ごと新品交換し得るように、バッテリーパックを密閉状態で収納した充電タイプであり、前記ケース部に刈払い作業者のズボンのベルトに掛ける掛け部が設けられていることを特徴とするバッテリーを接続した園芸用バリカン装置。
【請求項３】
請求項１又は２に記載のバッテリーを接続した園芸用バリカン装置に対応したバッテリーであって、
小箱型形状を有するケース部に、前記コネクタを介して前記電気コードの他端部に電気接続する出力側端子と、充電器側の電気コードの出力側端子に電気接続可能な入力側端子とが設けられ、
該ケース部内に、バッテリーパックの寿命が尽きたときには該ケース部ごと新品交換し得るように、バッテリーパックを密閉状態で収納した充電タイプであり、前記ケース部に刈払い作業者のズボンのベルトに掛ける掛け部が設けられていることを特徴とするバッテリー。
【考案の詳細な説明】
【技術分野】
【０００１】
本考案は、バッテリーを接続した園芸用バリカン装置と、この装置に対応したバッテリーに関する。
【背景技術】
【０００２】
電動式園芸用具の１種である手持ち式の園芸用バリカン装置は、屋外で使用されるのが通常である。このため、家庭用電源を直接取り入れて駆動する機種を使用する場合には、延長用の電気コードが必要になる。
しかし、脚立や梯子に登って生垣や立木の枝葉を刈払う作業をするときに延長コードが邪魔になり、作業者の脚や梯子等に引っ掛かり易い。このため、バッテリー駆動型の園芸用バリカン装置を望む人も多い。とくに、手に加わる重量負担が抑えられるという点で、バッテリーを作業者の腰に掛けて使用するタイプが望まれる。
【０００３】
特許文献１の図１０に開示のバッテリー装置は、上下開閉可能な蓋部２４ｂを備えたバッテリー収納ケース２４内に、バッテリーパック２５が収容されている。そして、バッテリー収納ケース２４の背面側に、ズボンのベルトに掛けるフック２６が設けられている。
【先行技術文献】
【特許文献】
【０００４】
【特許文献１】特開２０１２−５４００７号公報の図１０
【考案の概要】
【考案が解決しようとする課題】
【０００５】
しかしながら、特許文献１の図１０に開示のバッテリー装置は、開閉蓋付きの嵩ばった形状のバッテリー収納ケース内にバッテリーパックを収納したタイプである。このため、腰に取り付けても邪魔になり易い。また、バッテリー収納ケースは製造コストが高い構造になっている。
【０００６】
本考案は、園芸用バリカン装置とバッテリーとが、電気コードを介して着脱自在に接続されているという点で、バッテリーをベルトに掛けて刈払い作業が出来る、バッテリーを接続した園芸用バリカン装置を提供することを解決課題とする。
また、大容量でありながらコンパクト且つシンプルな構造であり、バッテリーパックの寿命が尽きるとケース部ごと新品交換出来るバッテリーを提供することも解決課題とする。
【課題を解決するための手段】
【０００７】
請求項１に係るバッテリーを接続した園芸用バリカン装置は次の各構成を備える。
（１）園芸用バリカン装置の手持ち部の後端部に電気コードの一端部が取り付けられ、該電気コードの他端部がコネクタを介してバッテリーに着脱自在に電気接続されている。
（２）前記バッテリーは、小箱型形状を有するケース部に、前記コネクタを介して前記電気コードの他端部に電気接続する出力側端子と、充電器側の電気コードの出力側端子に電気接続可能な入力側端子とが設けられている。
（３）このバッテリーは、該ケース部内に、バッテリーパックの寿命が尽きたときには該ケース部ごと新品交換し得るように、バッテリーパックを密閉状態で収納した充電タイプである。
（４）このバッテリーの前記ケース部に、刈払い作業者のズボンのベルトに掛ける掛け部が設けられている。
【０００８】
請求項２に係るバッテリーを接続した園芸用バリカン装置は次の各構成を備える。
（１）園芸用バリカン装置の手持ち部の後端部とバッテリーとが、両端部にコネクタが取り付けられた電気コードを介して、着脱自在に電気接続されている。
（２）前記バッテリーは、小箱型形状を有するケース部に、前記コネクタを介して前記電気コードの他端部に電気接続する出力側端子と、充電器側の電気コードの出力側端子に電気接続可能な入力側端子とが設けられている。
（３）このバッテリーは、該ケース部内に、バッテリーパックの寿命が尽きたときには該ケース部ごと新品交換し得るように、バッテリーパックを密閉状態で収納した充電タイプである。
（４）このバッテリーの前記ケース部に、刈払い作業者のズボンのベルトに掛ける掛け部が設けられている
【０００９】
請求項３に係るバッテリーは次の各構成を備える。
（１）請求項１又は２に記載のバッテリーを接続した園芸用バリカン装置に対応したバッテリーである。
（２）前記バッテリーは、小箱型形状を有するケース部に、前記コネクタを介して前記電気コードの他端部に電気接続する出力側端子と、充電器側の電気コードの出力側端子に電気接続可能な入力側端子とが設けられている。
（３）このバッテリーは、該ケース部内に、バッテリーパックの寿命が尽きたときには該ケース部ごと新品交換し得るように、バッテリーパックを密閉状態で収納した充電タイプである。
（４）このバッテリーの前記ケース部に、刈払い作業者のズボンのベルトに掛ける掛け部が設けられている
【考案の効果】
【００１０】
本考案に係るバッテリーを接続した園芸用バリカン装置によれば、電気コードを介して園芸用バリカン装置とバッテリーとが電気接続されているため、バッテリーをズボンのベルトに掛けて刈払い作業が出来る。とくに、バッテリーの重量負担が手や腕に掛からない楽な作業が出来る。
【００１１】
また、バッテリーは、軽量コンパクトで製造コストを抑えた構造であるため、腰に取り付けても邪魔になり難く、寿命が尽きたときには、ケース部ごと新品交換出来るため、この交換が簡単に行える。
【００１２】
いずれの請求項に記載のバッテリーも、バッテリーと電気コードを接続する端子とコネクタがバッテリー側に設けられているため、バッテリーの新品交換は、この電気コードを切り離して行えるため、無駄が無い。
【図面の簡単な説明】
【００１３】
【図１】（ａ）は本考案第１実施形態に係るバッテリーを接続した園芸用バリカン装置の構成部材と充電器を示した斜視図、（ｂ）はバリカン刃の一部拡大図、（ｃ）はバッテリーの一部拡大図。
【図２】バッテリーを表面側から見た斜視図。
【図３】園芸用バリカン装置の内部構造を示した側面断面図。
【図４】本考案第２実施形態に係るバッテリーを接続した園芸用バリカン装置の構成部材と充電器を示した斜視図
【図５】バッテリーを接続した園芸用バリカン装置の使用状態図。
【考案を実施するための形態】
【００１４】
本考案の好適なる実施形態を以下の実施例において詳述する。
【実施例】
【００１５】
[第１実施形態]
図１（ａ）は、本考案第１実施形態に係るバッテリーを接続した園芸用バリカン装置１Ａを、園芸用バリカン装置２とバッテリー７０から切り離した状態で示している。また、バッテリー７０を充電する充電器８０も併せて示している。
園芸用バリカン装置２は、バッテリー駆動タイプである。このため、手持ち部３２の後端部には、約１ｍ５０ｃｍの長さの電気コード６０の基部端が接続されている。電気コード６０の他端部には、バッテリー７０に接続するコネクタ６１が取り付けられている。電気コード６０の約１ｍ５０ｃｍの長さは、バッテリー７０を刈払い作業者のズボンのベルトに掛けた状態で、手持ちした園芸用バリカン装置２を前方や斜め上方向に大きく突き出すことができる長さである。
【００１６】
[バッテリー７０]
図１（ａ）、図２に示すバッテリー７０は、軽量コンパクトな小箱形形状を有するケース部７１の内部に、図示しないバッテリーパックが密閉状態で収容されて出来ている。バッテリーパックは、園芸用バリカン装置２を連続１時間駆動させる充電容量があるリチウムイオン電池が用いられている。
【００１７】
図１（ａ）（ｃ）に示すように、ケース部７１の側面には、出力側端子７３とコネクタ接続部７２と、入力側端子７４とが設けられている。
出力側端子７３は、バッテリー７０内部の電源を、電気コード６０を介して園芸用バリカン装置２内に送り出すための端子である。
入力側端子７４は、バッテリー７０を充電する際に、充電器８０側の電気コード８３の端子８４を接続するためにある。
【００１８】
このバッテリー７０は、内部のバッテリーパックの寿命が尽きたときには、ケース部７１を含めた全体を廃棄処分するタイプのものである。この廃棄処分は、内部のバッテリーパックを交換するリサイクルを目的とした廃棄処分も含む。
【００１９】
図１（ａ）に示すように、バッテリー７０の背面側には、刈払い作業者のズボンのベルトに掛ける板状の掛け部７５が設けられている。
掛け部７５は、上端面がケース部７１の上面のビス留めされて取り付けられたものが図示されているが、他の取り付け構造であってもよい。
掛け部７５は、上端面からケース部７１の背面に対向する下方に向けられている。
【００２０】
充電器８０は、電源コード８２を介して家庭用１００ボルト電源を取り入れて、例えば１４．４ボルトに変圧し、この変圧した電源をバッテリー７０に送ってバッテリー７０を充電するためにある。
バッテリー７０の充電は、電気コード８３を接続させて行う。
【００２１】
[園芸用バリカン装置２の内部構造]
図３に示すように、園芸用バリカン装置２の内部には、電気コード６０の基部側端部に電気接続された電源回路部５０と、モータ５２と、指操作によりモータ５２に送る電気信号をＯＮ／ＯＦＦするスイッチ５１と、モータ５２前方に位置する駆動軸５３と、駆動軸５３の前端部に設けられた小径傘歯車５４と、小径傘歯車５４に噛合する大径傘歯車５５とが配設されている。
【００２２】
図１（ａ）、図３に示すように、園芸用バリカン装置１のケース部３は、前部側のギヤケース部３１と、ギヤケース部３１の後方の手持ち部３２とにより構成されている。
手持ち部３２は、前部側手持ち部３３と、長さ中央部３４と、後部側手持ち部３５とに区切ることができ、前部側手持ち部３３と後部側手持ち部３５は握り易い細筒形状を有し、長さ中央部３４はモータ５２を内蔵するため、太筒形状を有している。
後部側手持ち部３５には、指で押し続けることによりモータ５２を駆動させるスイッチ５１の他に、スイッチ５１を操作しなくてもモータ５２を駆動させ続けするスイッチ３７も設けられている。
【００２３】
図１（ａ）（ｂ）、図３に示すように、櫛刃形状の固定刃４１の後端部は、ギヤケース部３１内に挟み付けられた状態で固定されている。
【００２４】
[園芸用バリカン装置２の動力伝達構造]
図１（ｂ）、図３に示す連動杆４２は、大径傘歯車５５にピン支持されたクランク杆５６の前後クランク運動に連動して、可動刃（上刃）４３を往復回動させる。バリカン刃４０は、可動刃（上刃）４３と固定刃４１とによるハサミ運動をして、小枝や葉を切断する。
【００２５】
[第２実施形態]
図４に示す第２実施形態に係るバッテリーを接続した園芸用バリカン装置１Ｂにおいては、園芸用バリカン装置２の後端部とバッテリー７０とが、両端部にコネクタ６２，６１が取り付けられた電気コード６０を介して、着脱自在に電気接続されている。
このため、園芸用バリカン装置２の手持ち部３２の後端部に、電気コード６０の一端部を電気接続させる入力側端子５７が設けられている、そして、この端子５７の周囲に、この電気接続を維持させるコネクタ接続部５８が取り付けられている。コネクタ接続部５８は、コネクタ６２とねじ嵌合する外ねじが形成された筒部で構成されている。
その他の個所の構造は、図１（ａ）に示す第１実施形態の場合と同様であるため、共通する部分に同一符号を付して、重複する説明は省略する。
【００２６】
[使用例]
図４に示すように、バッテリー７０を接続した園芸用バリカン装置２を用いた刈り込み作業は、園芸用バリカン装置２とバッテリー７０とを電気コード６０で接続し、掛け部７５を利用してバッテリー７０を作業者ズボン９０のベルト９１に掛けた状態で、園芸用バリカン装置２を手持ちして行う。
電気コード６０は約１ｍ５０ｃｍあるため、園芸用バリカン装置２を手持ちし得る範囲内で前方や上方に向けることができる。
バッテリー７０は、比較的薄型であり、軽量コンパクトな形状であるため、所望により、ズボン９０の外ポケット、ウエストポーチ、肩掛け等に入れて使用することも可能である。
【符号の説明】
【００２７】
１Ａ    第１実施形態に係るバッテリーを接続した園芸用バリカン装置
１Ｂ    第２実施形態に係るバッテリーを接続した園芸用バリカン装置
２    園芸用バリカン装置
３    ケース部
３１    ギヤケース部
３２    手持ち部
３３    前部側手持ち部
３４    長さ中央部
３５    後部側手持ち部
４０    バリカン刃
４１    固定刃
４２    連動杆
４３    可動刃
５０    電源回路部
５１    ＯＮ／ＯＦＦスイッチ
５２    モータ
５３    駆動軸
５４    小径傘歯車
５５    大径傘歯車
５６    クランク杆
５７    入力側端子
５８    コネクタ接続部
６０    電気コード
６１    コネクタ
６２    コネクタ
７０    バッテリー
７１    ケース部
７２    コネクタ接続部
７３    出力端子
７４    入力側端子
７５    掛け部
８０    充電器
８２    電源コード
８３    電気コード
８４    端子
９０    ズボン
９１    ベルト
【図１】
0003207870.tif 000003
【図２】
0003207870.tif 000004
【図３】
0003207870.tif 000005
【図４】
0003207870.tif 000006
【図５】
0003207870.tif 000007